(57)【要約】【課題】  設置、撤収および移設などの取り扱いが容易な広告シートを提供する。【解決手段】広告シート１００は、ゴム基材１と、ゴム基材１の上面上に設けられ、図画５が描かれたグラフィックシート材２とを備える。また、ゴム基材１の端部の四隅には、グラフィックシート材の端部を固定する留具６が設けられている。ここで、図画５は、絵、写真、文字などであり、広告を構成する意匠を含む。【選択図】  図１
2005234392.tif 000002
【特許請求の範囲】
【請求項１】
ゴム基材と、
上記ゴム基材の上面上に設けられ、図画が描かれたグラフィックシート材と、
を備える広告シート。
【請求項２】
請求項１に記載の広告シートにおいて、
上記ゴム基材の下面には、滑り止めのためのパターンが形成されている、広告シート。
【請求項３】
請求項１に記載の広告シートにおいて、
上記ゴム基材は、天然ゴム、スチレン−ブタジエンゴム（ＳＢＲ）、クロロプレン、ニトリルゴム（ＮＢＲ）、エチレン−プロピレンゴム（ＥＰＲ）、ブチルゴム、ウレタンゴム（ポリウレタン）、シリコンゴム、フッ素ゴムのいずれかで形成されている、広告シート。
【請求項４】
請求項１に記載の広告シートにおいて、
上記グラフィックシート材は、上記ゴム基材の上面上に設けられ、図画が描かれた下地層と、上記シート材上に設けられた保護層とが積層されている、広告シート。
【請求項５】
請求項１に記載の広告シートにおいて、
上記グラフィックシート材は、剥離可能な接着剤により上記ゴム基材の上面にされている、広告シート。
【請求項６】
請求項１に記載の広告シートにおいて、
上記ゴム基材の端部に、上記グラフィックシート材の端部を固定する留具をさらに備える、広告シート。
【発明の詳細な説明】
【技術分野】
【０００１】
本発明は、フロア広告などに用いる広告シートに関する。
【背景技術】
【０００２】
これまでに様々な広告媒体が考案されているが、近年、路面や床面を広告媒体として活用するフロア広告が広く利用されている。フロア広告としては、例えば、店舗などの入口の床面などに設置される足拭きマット、路面や床面に直接貼付することが可能なシート材、路面や床面の上に設置する広告パネル（下記非特許文献１を参照のこと）などが挙げられる。
【０００３】
店舗などの入口の床面などに設置される足拭きマットは、靴の裏面を清浄にするための絨毯、布などの素材で上面が形成されている。足拭きマットでは主に、上記絨毯、布などの素材を加工して宣伝広告の文字を表示している。
【０００４】
路面や床面に直接貼付するシート材は、広告が印刷された面を上面にして、アスファルト、フローリングなどの路面および床面に接着剤を用いて直接貼付される。
【０００５】
図３は、従来の路面や床面の上に設置する広告パネルの構造を示す斜視図である。広告パネル３００は、図３に示すように、中央に凹部３０１ａを備えるマット３０１と、透明な樹脂材料で形成されたカバー３０３とからなる。図３に示すように、広告パネル３００は、凹部３０１ａに広告が印刷されたシート材３０２を設置し、カバー３０３を凹部３０１ａに填め込んで用いられる。
【非特許文献１】（株）ベル春日井が運営するサイン・ディスプレイ業界向けの情報サイト、［平成１６年２月１６日検索］、インターネット＜ＵＲＬ：ｈｔｔｐ：／／ｗｗｗ．ｓｉｇｎｗｅｂ．ｃｏ．ｊｐ／ｃａｔａｌｏｇ／０７ｐｏｓｔｅｒ／７ｋ．ｈｔｍｌ＞。
【発明の開示】
【発明が解決しようとする課題】
【０００６】
しかしながら、上記従来のフロア広告用の広告媒体では、それぞれ以下のような不具合がある。
【０００７】
店舗などの入口の床面などに設置される足拭きマットの上面に形成されている靴の裏面を清浄にするための絨毯、布などの素材には、例えば写真のような高精細な図画を描くことが困難である。
【０００８】
路面や床面に直接貼付するシート材は、路面および床面に直接貼付する際に、気泡が入らないようにするためには相当な技術を要する。また、撤収の際に接着剤が残存することが多く、撤収後に残存した接着剤にホコリなどが付着して美観を損ねることがある。また、剥離した後に、移動して別の場所に設置することも不可能である。
【０００９】
広告パネル３０１では、シート材３０２の大きさおよび形状が、マット３０１の凹部３０１ａの大きさおよび形状に規定されてしまい、広告の自由度が比較的低い。
【００１０】
本発明は、上記事情に鑑みてなされたものであり、設置、撤収および移設などの取り扱いが容易な広告シートを提供することを目的とする。
【課題を解決するための手段】
【００１１】
本発明の広告シートは、ゴム基材と、上記ゴム基材の上面上に設けられ、図画が描かれたグラフィックシート材とを備える。
【００１２】
ゴム基材は路面や床面に対して大きな摩擦係数を有するため、本発明の広告シートは路面や床面に直接接着しなくとも、設置した位置からずれにくい。さらに、本発明の広告シートは、路面や床面に直接接着するための習熟した技術が不要である。また、撤収の際に接着剤が路面や床面に残存することもない。移動して別の場所に設置することも容易である。さらに、ゴム基材は非常に柔軟であるので、様々な路面や床面に対しても容易に定着する。このため、本発明の広告シートは、設置、撤収および移設などの取り扱いが非常に容易である。
【００１３】
また、ゴム基材、グラフィックシート材共に様々な形状を加工することは非常に容易である。またさらに、グラフィックシート材には、靴の裏面を清浄にするための絨毯などの素材では実現することが困難な高精細な図画を描くことが可能である。このため、広告の形状および図画の形態に制限がなく、広告の作製の自由度が非常に高くなり、非常に特徴的な広告を容易に作製することができる。
【００１４】
上記ゴム基材の下面には、滑り止めのためのパターンが形成されていることが好ましい。
【００１５】
このことによって、広告シート自体が設置した位置からさらにずれにくくなる。
【００１６】
上記ゴム基材は、上記ゴム基材は、天然ゴム、スチレン−ブタジエンゴム（ＳＢＲ）、クロロプレン、ニトリルゴム（ＮＢＲ）、エチレン−プロピレンゴム（ＥＰＲ）、ブチルゴム、ウレタンゴム（ポリウレタン）、シリコンゴム、フッ素ゴムのいずれかで形成されている構成としてもよい。
【００１７】
ＮＢＲは、耐候性、耐油性に優れており、野外などの比較的過酷な環境条件の下でも、広告シートの品質の劣化を抑制・防止することができる。
【００１８】
上記グラフィックシート材は、上記ゴム基材の上面上に設けられ、図画が描かれた下地層と、上記シート材上に設けられた保護層とが積層されていることが好ましい。
【００１９】
このことによって、グラフィックシート材の損傷、および下地層に描かれた図画の画質の劣化を抑制・防止することができる。
【００２０】
上記グラフィックシート材は、剥離可能な接着剤により上記ゴム基材の上面にされていることが好ましい。
【００２１】
このことによって、広告シートが不要になった際に、グラフィックシート材をゴム基材から剥離し、ゴム基材を再利用することが非常に容易になる。
【００２２】
上記ゴム基材の端部に、上記グラフィックシート材の端部を固定する留具をさらに備えることが好ましい。
【００２３】
このことによって、比較的剥がれやすいグラフィックシート材の端部をゴム基材上に確実に固定することができる。
【発明の効果】
【００２４】
本発明によれば、設置、撤収および移設などの取り扱いが容易な広告シートを提供することができる。
【発明を実施するための最良の形態】
【００２５】
以下、本発明の実施形態を図面を参照しながら詳細に説明する。
【００２６】
図１（ａ）は、本実施形態の広告シートに構造を模式的に表す上面図であり、図１（ｂ）は、図１（ａ）中に示した線Ａ−Ａに沿った断面図である。図２（ａ）は、図１（ａ）中に示した円Ｃ内の部分を拡大して表した図であり、図２（ｂ）および（ｃ）は、図２（ａ）中に示した線Ｂ−Ｂに沿った断面図である。
【００２７】
図１（ａ）および（ｂ）に示すように、本実施形態の広告シート１００は、ゴム基材１と、ゴム基材１の上面上に設けられ、図画５が描かれたグラフィックシート材２とを備える。また、ゴム基材１の端部の四隅には、グラフィックシート材の端部を固定する留具６が設けられている。ここで、図画５は、絵、写真、文字などであり、広告を構成する意匠を含む。
【００２８】
このように、本実施形態の広告シート１００は、路面や床面に対して大きな摩擦係数を有するゴム基材１を備えるため、路面や床面に直接接着しなくとも、設置した位置からずれにくい。なお、位置ずれをより確実に防止したい場合には、ゴム基材１の厚さを大きくすればよい。これは、本実施形態の広告シート１００の自重が増大するからである。
【００２９】
本実施形態の広告シート１００の設置の際に、路面や床面に直接接着しなくとも、設置した位置からずれにくいため、本実施形態の広告シート１００は、路面や床面に直接接着するための習熟した技術が不要である。また、撤収する際に接着剤が路面や床面に残存することもない。剥離した後に、移動して別の場所に設置することも可能である。このため、広告シート１００を設置、撤収および移設などの取り扱いを行なうことは非常に容易であり、特別な知識や技術を必要としない。さらに、ゴム基材１は非常に柔軟であるので、様々な路面や床面に対しても容易に定着する。このため、本実施形態の広告シート１００は、砂利道などの未舗装路面、階段、石畳などの凹凸の多い路面に対しても、設置、撤収および移設などの取り扱いを行なうことは非常に容易であり、特別な知識や技術を必要としない。
【００３０】
本実施形態では、ゴム基材１は、例えば、天然ゴム、スチレン−ブタジエンゴム（ＳＢＲ）、クロロプレン、ニトリルゴム（ＮＢＲ）、エチレン−プロピレンゴム（ＥＰＲ）、ブチルゴム、ウレタンゴム（ポリウレタン）、シリコンゴム、フッ素ゴムなどの、路面や床面に対して大きな摩擦係数を有する材料で形成されている。これらの各種ゴム材料は、それぞれ機械的強度、耐寒性、耐候性、耐熱性、耐油性、耐薬品性などが互いに異なり、広告シートを用いる場所の環境に応じて使い分けることが望ましい。なお、本実施形態で用いている天然ゴムは、非常に安価であり、加工の容易さおよび機械的強度が優れているので好ましい。また、ＮＢＲは、耐候性、耐油性に優れており、野外などの比較的過酷な環境条件の下でも、広告シートの品質の劣化を抑制・防止することができるので好ましい。
【００３１】
本実施形態では、ゴム基材１の断面形状は台形となっており、図１（ｂ）に示すように、端部１ａは、斜面となっている。このことによって、路面や床面に広告シート１００を設置したときに生じる段差が緩和される。
【００３２】
なお、ゴム基材１の下面には、滑り止めのためのパターン（例えば、タイヤのトレッドパターンのような溝）が形成されていることが好ましい。このことによって、広告シート自体が設置した位置からさらにずれにくくなる。
【００３３】
グラフィックシート材２には、インクジェット印刷が可能な用紙およびフィルムなどのインクジェット用シート材、スコッチプリント・（スリーエム社製）用のシート材が用いられる。これらのシート材は、高精細で再現性の高い描画および印刷が可能である。
【００３４】
また、本実施形態では、グラフィックシート材２は、下地層３とその上に設けられた保護層４とからなっている。このことによって、グラフィックシート材の損傷、および下地層に描かれた図画の画質の劣化を抑制・防止することができる。なお、このときは、下地層３に、インクジェット用シート材、スコッチプリント・（スリーエム社製）用のシート材が用いられる。保護層４には、透明の樹脂材料（例えば、ポリ塩化ビニル、ポリエステル、ポリカーボネート）や透明の塗料などが用いられる。特に保護層４にポリ塩化ビニルを用いると、滑り止め効果が高くなる。さらに、保護層４の表面には、滑り止めのためのエンボス加工を行なってもよい。
【００３５】
さらに、グラフィックシート材２は、剥離可能な接着剤によりゴム基材１に貼付されていることが好ましい。このことによって、広告シート１００が不要になった際に、グラフィックシート材２をゴム基材１から剥離することができる。このため、ゴム基材１を再利用することが非常に容易である。
【００３６】
本実施形態の広告シート１００では、ゴム基材１、グラフィックシート材２共に、切断によって非常に容易に様々な形状を加工することができる。このため、広告の形状および図画の形態に制限がない。従って、広告の規格が変更された場合にも、低コストで容易に対応できる。また、グラフィックシート材２には、上述のように、靴の裏面を清浄にするための絨毯、布地などの素材では実現することが困難な高精細な図画を描くことが可能である。従って、本実施形態によれば、広告の作製の自由度が非常に高くなり、非常に特徴的な広告を容易に作製することができる。
【００３７】
また本実施形態の広告シート１００では、ゴム基材１の端部の四隅に、グラフィックシート材２の端部を固定する留具６が設けられている。特に本実施形態では、留具６は、図２（ａ）に示すように、３つの鋭い突起７を備えており、図２（ｂ）に示すように、突起７の高さｄとゴム基材１の厚さｔとの関係は、ｄ＜ｔとなっており、突起７は、ゴム基材１に半ば突き刺さっている。このことによって、比較的剥がれやすいグラフィックシート材２の端部をゴム基材上に確実に固定することができる。
【００３８】
なお、本実施形態では、突起７を円錐状の針としているが、カギ型の針としてもよい。突起７をカギ型の針とした場合には、グラフィックシート材２の端部をゴム基材上により確実に固定することができる。
【００３９】
また、留具６は、図２（ｃ）に示すように、ゴム基材１の上面、側面および底面からゴム基材を挟み込むような形状としてもよい。このことによって、留具６が非常に脱落しにくくなる。
【００４０】
なお、本実施形態ではゴム基材１の端部の四隅に留具６を設ける構成としているが、ゴム基材１の端部全体に設けることによって、より確実にグラフィックシート材２の端部を固定することも可能である。
【産業上の利用可能性】
【００４１】
以上説明したように、本発明は、フロア広告などに有用である。
【図面の簡単な説明】
【００４２】
【図１】図１（ａ）は、本実施形態の広告シートに構造を模式的に表す上面図であり、図１（ｂ）は、図１（ａ）中に示した線Ａ−Ａに沿った断面図である。
【図２】図２（ａ）は、図１（ａ）中に示した円Ｃ内の部分を拡大して表した図であり、図２（ｂ）および（ｃ）は、図２（ａ）中に示した線Ｂ−Ｂに沿った断面図である。
【図３】図３は、従来の広告パネルの構造を示す斜視図である。
【符号の説明】
【００４３】
１    ゴム基材
１ａ  ゴム基材の端部
２    グラフィックシート材
３    下地層
４    保護層
５    図画
６    留具
７    突起
１００  広告シート
３００  広告パネル
３０１  マット
３０１ａ  凹部
３０２  シート材
３０３  カバー
【図１】
2005234392.tif 000003
【図２】
2005234392.tif 000004
【図３】
2005234392.tif 000005